【事件の表示】
　特許第３１２６４２７号「偏向ヨークコイル」の請求項１に係る特許に対する特許異議の申立てについて、次のとおり決定する。
【結　論】
　訂正を認める。
　特許第３１２６４２７号の請求項１に係る特許を維持する。
【理　由】
１．手続きの経緯
　
　特許第３１２６４２７号の請求項１に係る発明についての出願は、平成３年８月６日（パリ条約による優先権主張１９９０年８月７日、仏国）に特許出願され、平成１２年１１月２日にその発明について特許の設定登録がなされた後、平成１３年７月６日付けで特許異議申立人平松直彦より請求項１に係る特許に対する特許異議の申立てがなされ、平成１３年９月２８日付けで請求項１に係る特許に対する取消理由通知がなされたところ、その指定期間である平成１４年４月１０日に訂正請求がなされたものである。
　
２．訂正の適否についての判断
　
　２−１　訂正の内容
　特許権者が求めている訂正の内容は、以下のとおりである。
　
【訂正事項ａ】
　【特許請求の範囲】中に記載されている
「【請求項１】相互間に窓形開口を形成するように相対向する２つの側辺巻回部と、この両側辺部とほぼ交差する方向に巻かれ、それぞれ上記側辺部と連なる前端巻回部および後端巻回部と、でコイル状に形成された複数の導線回旋と；それぞれ上記側辺巻回部の中間域に形成されている少なくとも１個のくぼみまたは凹所であって、このくぼみまたは凹部近傍の上記導線の分布を制御するものと；を具備して成る、陰極線管の偏向ヨーク構体における偏向ヨークコイル。」を、
「【請求項１】相互間に窓形開口を形成するように相対向する２つの側辺巻回部と、この両側辺
巻回
巻回
、
部
、を具備する偏向ヨークコイルであって、　上記導線は、電流が上記コイルを通って流れるとき、このコイルによって生成される電磁界を制御するように上記くぼみまたは凹部の領域において非くぼみまたは非凹部の領域よりも小さい導線密度をもっている、
に訂正する。
　
【訂正事項ｂ】
　【産業上の利用分野】中に記載されている
「偏向コイル
と、その製造方法と
「偏向コイルに関するものである。」
に訂正する。
　
【訂正事項ｃ】
　段落番号【０００７】中に記載されている
「【発明の概要】この発明の
特徴
巻線と、その巻線を製造するための改良された装置と方法と
別の
製造工程中の巻線の損傷を大幅に低減できるできる形で偏向ヨークコイルを製作するための、改良された装置と方法を提供することである。
「【発明の概要】この発明の
目的
側辺巻回部の中間域に少なくとも１個のくぼみまたは凹部が形成された、
に訂正する。
　
【訂正事項ｄ】
　【図面の簡単な説明】中に記載されている
「【図１】この発明を実施した水平コイルを含む偏向コイル
装置
【図２】偏向コイル巻線の表面の所望部分にくぼみまたは凹部を形成
するのにこの発明の方法を使用
一実施例を含む
【図３】この発明
の方法
よって
した
の代表的な中央部
。
って描いた
【図４】巻線工程中に偏向コイル巻線の表面上選択された位置に空所または開口を形成する技法を示すための、この発明の装置の雌型すなわち雌部材の簡略見取図である。
【図５】この発明の装置における雄部材または雄型の簡略見取図である。
【図６】巻線の所定位置にくぼみまたは凹部を有する
偏向巻線
のこの発明の方法に関連する
【図７】球状端部を有するピンまたはだぼ形ロッドを型上のコイル巻線部分中に突出させるための開孔を含むこの発明の
一実施例雌型
【図８】
偏向コイル巻線の表面上の所定一にくぼみまたは凹所を作るためのこの発明の方法で使用する、
巻線
「【図１】この発明を実施した水平コイルを含む偏向コイルをＣＲＴに取付けた状態を簡略化して示す断面図である。
【図２】偏向コイル
の
の一実施例
【図３】この発明
による
の
された
、
う
【図４】巻線工程中に偏向コイル巻線の表面上
の
偏向コイルを製作するために使用される
【図５】この発明の
偏向コイルを製作するために使用される
【図６】巻線の所定位置にくぼみまたは凹部を有する
この発明の偏向コイルを
に使用される
【図７】球状端部を有するピンまたはだぼ形ロッドを型上のコイル巻線部分中に突出させるための開孔を含む
、
偏向コイルを製作するために使用される雌型の一実施例
【図８】図７の雌型とその中に巻かれている
、表面上の所定位置にくぼみまたは凹部が形成されたこの発明の
に訂正する。
　
　２−２　訂正の目的の適否、新規事項の有無及び拡張・変更の存否
　
【訂正事項ａ】
　訂正事項ａ中、「側辺部」を「側辺
巻回
部
　そして、上記の訂正は、実質上特許請求の範囲を拡張し、又は変更するものでもない。
　また、訂正事項ａに関連する記載として、願書に添付した明細書（以下、「特許明細書」という。）には、
「【００２５】くぼみまたは凹部１０６がある部分では、偏向コイル巻線１０４の導線密度は他の部分の導線密度よりも小さく、それによって電流流通時の偏向コイル１０４が生成する電磁界の形状を制御することができる。」（特許明細書第７頁第２８行〜同第８頁第２行（特許公報第４頁左欄第１７行〜同第２０行））と記載されていることから、「
導線は、電流が上記コイルを通って流れるとき、このコイルによって生成される電磁界を制御するように上記くぼみまたは凹部の領域において非くぼみまたは非凹部の領域よりも小さい導線密度をもっている
　そうすると、訂正事項「
を具備する偏向ヨークコイルであって、上記導線は、電流が上記コイルを通って流れるとき、このコイルによって生成される電磁界を制御するように上記くぼみまたは凹部の領域において非くぼみまたは非凹部の領域よりも小さい導線密度をもっている、
偏向ヨークコイルであって、上記導線は、電流が上記コイルを通って流れるとき、このコイルによって生成される電磁界を制御するように上記くぼみまたは凹部の領域において非くぼみまたは非凹部の領域よりも小さい導線密度をもっている、
　そして、上記の訂正は、実質上特許請求の範囲を拡張し、又は変更するものでもない。
　
【訂正事項ｂ】
　訂正事項ｂに関連する記載として、特許明細書には、
「偏向コイル
と、その製造方法と
　そうすると、訂正事項ｂは、特許明細書に記載された事項の範囲内において、発明の利用分野が偏向コイルに関するものであることを明確にしたものといえるから、明りょうでない記載の釈明を目的とするものであり、新規事項の追加にも該当しない。
　そして、上記の訂正は、実質上特許請求の範囲を拡張し、又は変更するものでもない。
　
【訂正事項ｃ】
　訂正事項ｃに関連する記載として、特許明細書には、
「【発明の概要】この発明の
特徴
巻線と、その巻線を製造するための改良された装置と方法と
製造工程中の巻線の損傷を大幅に低減できるできる形で偏向ヨークコイルを製作するための、改良された装置と方法を提供することである。
目的
側辺巻回部の中間域に少なくとも１個のくぼみまたは凹部が形成された、
　そうすると、訂正事項ｃは、特許明細書に記載された事項の範囲内において、発明の目的が、偏向コイルを提供することにあることを明確にするものといえるから、明りょうでない記載の釈明を目的とするものであり、新規事項の追加にも該当しない。
　そして、上記の訂正は、実質上特許請求の範囲を拡張し、又は変更するものでもない。
　
【訂正事項ｄ】
　訂正事項ｄに関連する記載として、特許明細書には、
「【図１】この発明を実施した水平コイルを含む偏向コイル
装置
【図２】偏向コイル巻線の表面の所望部分にくぼみまたは凹部を形成
するのにこの発明の方法を使用
一実施例を含む
【図３】この発明
の方法
よって
した
の代表的な中央部
。
って描いた
【図４】巻線工程中に偏向コイル巻線の表面上選択された位置に空所または開口を形成する技法を示すための、この発明の装置の雌型すなわち雌部材の簡略見取図である。
【図５】この発明の装置における雄部材または雄型の簡略見取図である。
【図６】巻線の所定位置にくぼみまたは凹部を有する
偏向巻線
のこの発明の方法に関連する
【図７】球状端部を有するピンまたはだぼ形ロッドを型上のコイル巻線部分中に突出させるための開孔を含むこの発明の
一実施例雌型
【図８】
偏向コイル巻線の表面上の所定一にくぼみまたは凹所を作るためのこの発明の方法で使用する、
巻線
「【図１】この発明を実施した水平コイルを含む偏向コイルをＣＲＴに取付けた状態を簡略化して示す断面図である。
【図２】偏向コイル
の
の一実施例
【図３】この発明
による
の
された
、
う
【図４】巻線工程中に偏向コイル巻線の表面上
の
偏向コイルを製作するために使用される
【図５】この発明の
偏向コイルを製作するために使用される
【図６】巻線の所定位置にくぼみまたは凹部を有する
この発明の偏向コイルを
に使用される
【図７】球状端部を有するピンまたはだぼ形ロッドを型上のコイル巻線部分中に突出させるための開孔を含む
、
偏向コイルを製作するために使用される雌型の一実施例
【図８】図７の雌型とその中に巻かれている
、表面上の所定位置にくぼみまたは凹部が形成されたこの発明の
　そうすると、訂正事項ｄは、特許明細書に記載された事項の範囲内において、発明が、偏向コイルに関することを明確にするものといえるから、明りょうでない記載の釈明を目的とするものであり、新規事項の追加にも該当しない。
　そして、上記の訂正は、実質上特許請求の範囲を拡張し、又は変更するものでもない。
　
　２−３　むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申し立てについての判断
　
　３−１　本件発明
　請求項１に係る発明は、平成１４年４月１０日付けで提出された訂正明細書の特許請求の範囲の請求項１に記載された次の事項により特定されるとおりのものである。
【請求項１】相互間に窓形開口を形成するように相対向する２つの側辺巻回部と、この両側辺巻回部とほぼ交差する方向に巻かれ、それぞれ上記側辺巻回部と連なる前端巻回部および後端巻回部と、でコイル状に形成された複数の導線回旋と、
　それぞれ上記側辺巻回部の中間域に形成されている少なくとも１個のくぼみまたは凹部であって、このくぼみまたは凹部近傍の上記導線の分布を制御するものと、
を具備する偏向ヨークコイルであって、
　上記導線は、電流が上記コイルを通って流れるとき、このコイルによって生成される電磁界を制御するように上記くぼみまたは凹部の領域において非くぼみまたは非凹部の領域よりも小さい導線密度をもっている、
陰極線管の偏向ヨーク構体における偏向ヨークコイル。
 　
　３−２　申立ての理由の概要
　
（訂正前の請求項１に係る発明について）
　特許異議申立人平松直彦は、訂正前の請求項１に係る発明は、その出願前に日本国内において頒布された甲第１号証（特公昭５７−１３０９７号公報）及び甲第２号証（特公昭４５−１５１２４号公報）に記載された発明に基づいて当業者が容易に発明をすることができたものであり、特許法第２９条第２項の規定により、特許を受けることができないものであるから、特許を取り消すべきと主張している。
　
　３−３　引用刊行物に記載された発明
　
（ア）当審が平成１３年９月２８日付けで通知した取消の理由で引用した刊行物
　刊行物１（甲第１号証）：特公昭５７−１３０９７号公報
　刊行物２（甲第２号証）：特公昭４５−１５１２４号公報
　
（イ）引用刊行物に記載の事項
　
　上記【刊行物１】には、図とともに、
（１）「本発明は例えばカラーテレビジョン受信機に使用して好適な偏向ヨークの構造に関するものである。」（第１頁左欄第３７行〜同右欄第２行）
（２）「本発明は上記した従来技術の欠点をなくし、コンバーゼンス性能、糸巻歪補正性能、フォーカス性能等をより優れた性能にすることの可能な偏向ヨークを提供するもので、この目的を達成するために、この発明の偏向ヨークにおいては水平偏向コイルの大径部及び小径部の巻線分布だけではなく、中間部の巻線分布をも適当に選ぶ。
　以下本発明を実施例によって説明する。第３図は本発明における水平偏向コイルの斜視図で第４図は本発明による偏向ヨークの正面図である。第３図、第４図に示すように本発明における水平偏向コイル４の特徴点は突合せ部６の一部にへこみ部５が設けられていることにある。突合せ部６に設けられたへこみ部５が作る空間部分には当然電流は流れない。水平偏向コイル４の大径部４ａ、小径部４ｂ、中間部４ｃがそれぞれ作る磁界の形状は、巻線分布が突合せ部６側において密になるほど糸巻形磁界になり、突合せ部６で疎になるほど、すなわち突合せ部６から離れた部分で密になるほど樽形磁界になる。中間部４ｃにおけるへこみ部５が設けられている部分は巻線分布が突合せ部６から離れた部分において、密になるためへこみ部５が設けられている部分が発生する磁界の形状は従来作られていた磁界形状よりも樽形の磁界になる。」（第２頁左欄第１０行〜同第３４行）
（３）「以上説明したように、本発明の偏向ヨークによればラスタの糸巻歪を発生せず、かつフォーカス性能及びコンバーゼンス性能においても優れた偏向ヨークを提供することができる。」（第２頁右欄第２３行〜同第２６行）
　
　この記載事項によれば、上記【刊行物１】には、
【引用発明１】
「相互間に窓形開口を形成するように相対向する２つの中間部４ｃ（側辺巻回部に相当。）と、この両中間部４ｃ（側辺巻回部に相当。）とほぼ交差する方向に巻かれ、それぞれ上記中間部４ｃ（側辺巻回部に相当。）と連なる大径部４ａ（前端巻回部に相当。）および小径部４ｂ（後端巻回部に相当。）と、でコイル状に形成された複数の導線回旋と、
　それぞれ上記中間部４ｃ（側辺巻回部に相当。）の中間域に形成されている少なくとも１個のへこみ部５（くぼみまたは凹所に相当。）であって、このへこみ部５（くぼみまたは凹所に相当。）近傍の上記導線の分布を密にする（制御するに相当。）ものと、
を具備する水平偏向コイル４（偏向ヨークコイルに相当。）であって、
　上記導線は、電流が上記水平偏向コイル４（コイルに相当。）を通って流れるとき、この水平偏向コイル４（コイルに相当。）によって生成される電磁界を樽形にする（制御するに相当。）ように上記へこみ部５（くぼみまたは凹部に相当。）の領域において非くぼみまたは非凹部の領域よりも
大きい
陰極線管の偏向ヨーク構体における水平偏向コイル４（偏向ヨークコイルに相当。）。」
が記載されている。
　
　上記【刊行物２】には、図とともに、
（１）「本考案はテレビジョン受像機の電子ビーム偏向に与える鞍型偏向コイルに関するものである。」（第１頁左欄第１９行〜同第２０行）
（２）「電気的特性においても又形状的な安定性からみても製品としてのバラツキが発生しやすいものであった。
　本考案は特に上記のような従来の欠点を除去した偏向コイルを提供するものである」（第１頁右欄第１３行〜同第１７行）
（３）「以下第３図および第４図により本考案を説明すると、本考案に用いる金型は偏向コイル１の全表面に接合するものではなく束をなして銅線の巻回方向の少なくとも偏向に作用する曲部２と交又するよう適宜な間隔をもった厚板により形状されるため外型加重Ｐと内型加重Ｑとは互に前記金型の厚板を偏位せしめ対向することがないためコイル中央部Ｍの近辺に対しても従来以上に強い加重が施されるし対向側がフリーであるため適宜な銅線空間をめざす各銅線は移動するに足る余裕をもち加重に対応して図中Ｐ、Ｒのごとく前記厚板の対接部に比して凸状を呈する。特に第４図は第３図の点線円部を拡大したものであってかかる隆起は前記厚板の幅Ｌを適宜に選ぶことによって少なくとも特性上支障がない程度に選定される。或は又他に、製造過程の改良を考慮した場合には前記厚板は互いに対向して設定してすることも可能である。」（第１頁右欄第１９行〜同第３６行）
（４）「コイル捲線方向と交又するように適宜な間隔を有するように複数枚の厚板等により加圧して該厚板数に対応して前記コイルの捲回方向の内外周面に沿って凹凸状を形成した鞍型偏向コイル。」（第２頁右欄第２行〜同第５行）
が記載されている。
　
　３−４　対比・判断
　
（請求項１に係る発明について）
　【請求項１に係る発明】と【引用発明１】とを対比すると、両者は、
【一致点】
「相互間に窓形開口を形成するように相対向する２つの側辺巻回部と、この両側辺巻回部とほぼ交差する方向に巻かれ、それぞれ上記側辺巻回部と連なる前端巻回部および後端巻回部と、でコイル状に形成された複数の導線回旋と、
　それぞれ上記側辺巻回部の中間域に形成されている少なくとも１個のくぼみまたは凹所であって、このくぼみまたは凹所近傍の上記導線の分布を制御するものと、
を具備する偏向ヨークコイルであって、
　上記導線は、電流が上記コイルを通って流れるとき、このコイルによって生成される電磁界を制御するように上記くぼみまたは凹部の領域において非くぼみまたは非凹部の領域と
異なる
陰極線管の偏向ヨーク構体における偏向ヨークコイル。」
で一致し、
　
【相違点１】
【請求項１に係る発明】では、導線はくぼみまたは凹部の領域において非くぼみまたは非凹部の領域よりも
小さい
大きい
で相違する。
　
【相違点１】について検討すると、導線がくぼみまたは凹部の領域において非くぼみまたは非凹部の領域よりも
小さい
　したがって、請求項１に係る発明は、刊行物１及び刊行物２に記載された発明に基づいて当業者が容易に発明をすることができたものではない。
　そして、請求項１に係る発明は、その技術的事項により明細書記載の効果を奏するものと認められる。
　
　３−５　むすび
　
　以上のとおりであるから、特許異議申立ての理由及び証拠によっては、請求項１に係る発明についての特許を取り消すことはできない。
　また、他に取り消しの理由を発見しない。
　よって、結論のとおり決定する。
【異議決定日】
平成１４年５月３１日（２００２．５．３１）
【訂正の要旨】
訂正の要旨
訂正事項ａ
　【特許請求の範囲】中に記載されている
「【請求項１】相互間に窓形開口を形成するように相対向する２つの側辺巻回部と、この両側辺部とほぼ交差する方向に巻かれ、それぞれ上記側辺部と連なる前端巻回部および後端巻回部と、でコイル状に形成された複数の導線回旋と；それぞれ上記側辺巻回部の中間域に形成されている少なくとも１個のくぼみまたは凹所であって、このくぼみまたは凹部近傍の上記導線の分布を制御するものと；を具備して成る、陰極線管の偏向ヨーク構体における偏向ヨークコイル。」を、
「【請求項１】相互間に窓形開口を形成するように相対向する２つの側辺巻回部と、この両側辺
巻回
巻回
、
　それぞれ上記側辺巻回部の中間域に形成されている少なくとも１個のくぼみまたは凹
部
、
を具備する偏向ヨークコイルであって、上記導線は、電流が上記コイルを通って流れるとき、このコイルによって生成される電磁界を制御するように上記くぼみまたは凹部の領域において非くぼみまたは凹部の領域よりも小さい導線密度をもっている、
陰極線管の偏向ヨーク構体における偏向ヨークコイル。」
に訂正する。
訂正事項ｂ
　【産業上の利用分野】中に記載されている
「偏向コイル
と、その製造方法と
「偏向コイルに関するものである。」
に訂正する。
訂正事項ｃ
　段落番号【０００７】中に記載されている
「【発明の概要】この発明の
特徴
巻線と、その巻線を製造するための改良された装置と方法と
別の
製造工程中の巻線の損傷を大幅に低減できるできる形で偏向ヨークコイルを製作するための、改良された装置と方法を提供することである。」
「【発明の概要】この発明の
目的
側辺巻回部の中間域に少なくとも１個のくぼみまたは凹部が形成された、
に訂正する。
訂正事項ｄ
　【図面の簡単な説明】中に記載されている
「【図１】この発明を実施した水平コイルを含む偏向コイル
装置
　【図２】偏向コイル巻線の表面の所望部分にくぼみまたは凹部を形成
するのにこの発明の方法を使用
一実施例を含む
　【図３】この発明
の方法
よって
した
の代表的な中央部
。
って描いた
　【図４】巻線工程中に偏向コイル巻線の表面上選択された位置に空所または開口を形成する技法を示すための、この発明の装置の雌型すなわち雌部材の簡略見取図である。
　【図５】この発明の装置における雄部材または雄型の簡略見取図である。
　【図６】巻線の所定位置にくぼみまたは凹部を有する
偏向巻線
のこの発明の方法に関連する
　【図７】球状端部を有するピンまたはだぼ形ロッドを型上のコイル巻線部分中に突出させるための開孔を含むこの発明の
一実施例雌型
　【図８】
偏向コイル巻線の表面上の所定一にくぼみまたは凹所を作るためのこの発明の方法で使用する、
巻線
「【図１】この発明を実施した水平コイルを含む偏向コイルをＣＲＴに取付けた状態を簡略化して示す断面図である。
　【図２】偏向コイル
の
の一実施例
　【図３】この発明
による
の
された
、
う
　【図４】巻線工程中に偏向コイル巻線の表面上
の
偏向コイルを製作するために使用される
　【図５】この発明の
偏向コイルを製作するために使用される
　【図６】巻線の所定位置にくぼみまたは凹部を有する
この発明の偏向コイルを
に使用される
　【図７】球状端部を有するピンまたはだぼ形ロッドを型上のコイル巻線部分中に突出させるための開孔を含む
、
偏向コイルを製作するために使用される雌型の一実施例
　【図８】図７の雌型とその中に巻かれている
、表面上の所定位置にくぼみまたは凹所が形成されたこの発明の
に訂正する。
（５４）【発明の名称】
偏向ヨークコイル
（５７）【特許請求の範囲】
　【請求項１】　相互間に窓形開口を形成するように相対向する２つの側辺巻回部と、この両側辺
巻回部
巻回部
　それぞれ上記側辺巻回部の中間域に形成されている少なくとも１個のくぼみまたは
凹部
を具備する偏向ヨークコイルであって、
　
上記導線は、電流が上記コイルを通って流れるとき、このコイルによって生成される電磁界を制御するように上記くぼみまたは凹部の領域において非くぼみまたは非凹部の領域よりも小さい導線密度をもっている、
陰極線管の偏向ヨーク構体における偏向ヨークコイル。
【発明の詳細な説明】
　【０００１】
　【産業上の利用分野】
　この発明の技術分野は、テレビジョンまたは同様なシステム用の偏向コイルに関し、更に具体的にはコイル巻線の一様性に物理的な中断部すなわち変化をつけてその巻線に電流を流したときに所望の磁界パタンを生成するようにした偏向コイ
ルに
　【０００２】
　【発明の背景】
　テレビジョンおよびその他一般に陰極線管（ＣＲＴ）をベースとしたシステムにおいては、偏向コイル巻線を含む偏向ヨーク構体が、ＣＲＴのコーン部とステム部の外側後方に取付けられる。一つの代表的な形式にあっては、この偏向ヨーク構体は、ＣＲＴに近接してすなわちＣＲＴに対してヨーク構体の最も内側に、相対向する１対のサドル型コイル偏向巻線を持っている。この偏向ヨーク構体の外側部分は、或る代表的な形式では、相対向するトロイダル巻線すなわちトロイダル偏向コイルを持っている。
　【０００３】
　上記の様な代表的な形式では、そのサドル型コイルはテレビジョン・システムの水平偏向回路によって付勢され、またトロイダル・コイルは垂直偏向回路によって付勢されて、何時如何なる時点でも電子ビームをＣＲＴの表示スクリーンの面上に位置づける。他の代表的な形式では、サドル型コイル巻線を垂直偏向回路によって付勢することもある。特定の用途においては、サドル型とトロイダルの両偏向コイル巻線の上記とは異なる組合わせも使用される。
　【０００４】
　偏向ヨーク構体の偏向コイルに電流を流すことによって所望の電磁界を生成するためには、その巻線は正確に位置決めされていなければならない。この発明の例示目的で具体的にサドル型コイル偏向巻線について説明する。たとえば、サドル型コイルを製造する在来の方法は、雌雄の両型（アーバ）の間に形成された空隙内でコイルを巻くやり方である。この技術分野で周知のように、この雄型と雌型は静止状態に保持され、それを中心としてフライヤ機構が回転して、上記空隙内でたとえばエナメル被覆銅線を巻回して偏向巻線が形成される。これと反対に、静止している線供給機構に組合わせて型を回転させることもできる。この巻線工程中に、所望の電磁界パタンを得る目的で巻線中の導線の分布を制御するために、種々の技法が用いられている。
　【０００５】
　偏向ヨークコイルを巻くための既知の一装置と方法とが、１９７０年６月３０日付でグロス（Ｇｒｏｓｓ）氏他に付与された米国特許第３，５１８，５９０号に開示されている。偏向コイルは、互に衝合させたときに相互間に空隙が形成されるような対をなす雌雄部材と、両部材間に在ってこの空隙を同形の小室に分割する窓ブロックと、を有する装置で製作される。上記空隙内の両室に導線の複数巻回が巻き込まれて所望のコイル形態が形成される。
　【０００６】
　石川氏に与えられた米国特許第３，９１２，１８２号にも、互に衝合されたときその間に空隙を形成するような雌雄両部材を使用することが開示されている。その偏向コイルは、偏向コイルとして所望の巻線形態をとるように、その空隙内で巻かれる。雌雄両部材は、サドル型偏向コイルとして所望の巻線形態を与えるために、どの点でも特定の断面形状を持つように設計されている。
　【０００７】
　【発明の概要】
　この発明の
目的は、側辺巻回部の中間域に少なくとも１個のくぼみまたは凹部が形成された、
ルを
る。
　【０００８】
　従来のものにおける上記問題点を念頭において、この発明の上記のおよび他の目的は、偏向コイル巻線装置の雌雄両部材（型）の間に形成された空隙内でコイル巻線を行っている期間中に、その空隙の１つ以上の部分に進入するように突出体を選択的に位置付けして、巻線上の予め選択した位置にくぼみまたは凹部を形成し、そのコイルに電流を流したときに所望形状の電磁界が生成されるようにすることによって、達成される。
　【０００９】
　この発明の一実施例においては、上記の突出体は、雌部材の表面から空隙の中へ、巻回されつつある偏向コイルに所望のくぼみまたは凹部が形成されるように、しかも突出体が巻線の中へ進入することがなく同時に突出体に近接した巻線のエナメルや導線に損傷を与えることがないように、突出するものである。
　【００１０】
　【詳細な説明と実施例】
　図１は、ＣＲＴ２２に対する偏向コイルの位置付けを示す簡略断面図である。図示のように、この例では、偏向コイル７４はサドル型巻線でありまた偏向コイル１４はトロイダル巻線である。また、トロイダル・コイル１４はソフト磁心片３６の周りに巻かれている。絶縁ライナー３４によってこれらの水平および垂直偏向コイルは隔てられている。偏向コイル７４は水平偏向回路３８により、また偏向コイル１４は垂直偏向回路４０により、付勢される。ＣＲＴ２２の内部には電子銃４２が配設されていて、Ｚ軸４４に沿って電子ビームを放射し、蛍光スクリーン２３を衝撃させる。この水平、垂直両偏向コイルによって生成される電磁界によって、電子ビームはどの時点においてもＣＲＴ２２のスクリーン２３上の所望の点（スポット）に当たるようにされる。
　【００１１】
　図２には、図１の水平偏向コイルとして使用できる、この発明を実施したサドル型コイル７４が示されており、このコイル７４は前端巻回部４８、後端巻回部５０、先拡がり形側辺部５２、５４、前端巻回部開口５６、５８、および後端巻回部開口６４、６６を持っている。開口５６、５８、６４および６６は所定の寸法形状を有し、この例では意図的に図示の位置に設けられていて、何の対策も構じなければ電子ビームの位置決めについて生じるであろう種々の誤差を補正するために、このサドル型巻線すなわちコイル４６によってその異なった各区域に生成される電磁界の制御素子となっている。
　【００１２】
　たとえば、入口域６８に生成される磁界はその区域に生じる可能性のあるコマ歪みを補正するように制御される。中間域７０に生成される磁界は集中誤差を修正するように制御され、また出口域７２に生成される磁界はＣＲＴ２２のスクリーン２３上に描かれる画像の端縁に生じる寸法（ジオメトリ）誤差を補正するように制御される。
　【００１３】
　この発明の実施例においては、くぼみまたは凹部７６と７８は、それぞれ側辺部５２と５４にある。この例では、凹部７６と７８の形は菱形であるが、用途に応じて、また中間域において要求される電磁界形状に応じて他の形状としても良いことは、当然である。この実施例では、くぼみまたは凹部７６と７８は互に鏡像関係をなし、対向するように配置されている。
　【００１４】
　図３には、図２の線３−３に沿って画いたサドル型巻線７４の断面が示されている。この偏向コイル７４は、くぼみまたは凹部７６と７８を設けてもその下に在る導線に不要な詰込み状態すなわち歪みを生じせさないように、後記するような方法で製作される。
　【００１５】
　この発明に従うサドル型コイル７４を作るための雌型の一実施例である雌型８０が図４に示されている。図５には雄型８２が示されている。この型（アーバ）８０と８２は、雄型８２に設けたねじの切られた位置決めねじ８４を、図示例の如く、雌型８０に設けたペデスタル８８の位置決め孔８６に挿込むことによって、互に衝合される。図示されていないナットを型８０の裏側からねじ８４にしっかりとねじ込み締めつける。ペデスタル８８は、雄型８２に設けた対応する形をもつ空所８８ａ中にぴったりと嵌合する。
　【００１６】
　両型を衝合させると、雌型８０と雄型８２の間には図６に略示したように、空隙９０が形成される。通常のやり方で、図示されていないフライヤを使って、静止している両型８０と８２の相互間に形成された空隙９０内で導線の巻回を行って、サドル型コイル７４を形成する。サドル型コイル７４について既に説明したように、種々の開口すなわち貫通孔は、この巻線工程中に、通常比較的尖った先端９４を持つピン９２を雌型８０の受け面すなわち内側底部９６に設けた貫通孔１０２（図７参照）に挿込むことによって、形成される。
　【００１７】
　受け面９６は、型８０と８２の周りに導線が巻付けられているときにその導線を受けて、１個の（対をなす一方の）サドル型コイル７４を形成する。図４に示すように、ピン９２は、導線が巻回されつつあるときに、雌雄の型８０と８２の間に形成されている空隙９０をほぼ横切る形に突出するようにされる。通常、ピン９２の直径と全体形状、および空隙９０への進入角が、製作中の偏向コイルのその位置に形成される開口９４の大きさと形状とを決定する。偏向コイルの製造時に、必要に応じて、種々の位置に開口を設けるため多数の上記の様なピン９２を使用することができる。
　【００１８】
　型８０の内壁９６の貫通孔中に突出するピン９２のようなピンを使用することによって、偏向コイルの巻線工程中にその導線をより正確に分布させる手段を実現できる。上述のように、その様なピン９２を使用すれば、巻回されている偏向コイルに貫通開口または開孔を形成し得ると共に、同時に導線の位置をより具合良く制御することができる。
　【００１９】
　偏向コイルの巻線工程で上記の様なピンを利用して両型の中央部（また、偏向コイルの中央部）における導線分布を制御すると、形成される開口すなわち開孔によって、巻線の分布および完成偏向コイルによって生成される電磁界パタンに顕著な変化が生じることが判った。その変化は多くの場合所望するものよりも大きく、しかも制御しにくい。また、そのピン９２は、型内で巻かれている導線に時として損傷を与えることも判った。偏向コイルの巻線工程中に、或いは普通の技法で双方の型に押圧力を加えて偏向巻線の完成形状を作る加熱／加圧サイクル中に、エナメルが損傷を受けることがある。たとえばピン９２を使用することにより、サドル型コイルとして巻かれた偏向コイルは特に導線の損傷および／またはエナメル損傷を受け易い。
　【００２０】
　この発明の実施例である、図６、図７および図８に示す例では、頭部すなわち先端があまり尖っていない、換言すれば丸く成形されたピン９８を、雌型８０の受け面９６の開孔１０２に挿通することによって、巻回中の偏向コイルに図２の７６および／または７８のようなくぼみまたは凹部を形成するようにする。図７に示すように、型８０の受け面９６には、その裏側からピン９８または９２を挿通できるように所要の位置に多数の貫通孔１０２が設けられていて、それにより、既述のようにピン９２で開口を形成する場合でも或いは後述するように偏向巻線にくぼみや凹部を設ける場合でも、空胴９０内へのピンの突出量を制御できる。
　【００２１】
　このピン９８は、開口を形成するのにピン９２を使用した場合に時々発生する導線やエナメルに対する損傷を除いて、偏向コイルを作るために空隙内で巻回されている導線の分布を制御することができる。偏向コイルの巻線工程中にそのコイルの所定位置の導線分布を制御するため、その偏向コイル巻線中にくぼみまたは凹部を作るには、使用するピン（１本または複数本）９８を最初は、型８０の受け面９６上に巻かれる偏向コイル１０４（図８参照）の最初の巻回すなわち最初の層に対し、後退させておく。
　【００２２】
　用途に応じて、ピン９８は最初の巻回（層）よりも多くの巻回（層）に亘って後退状態に留められる。この巻線装置は、ピン９８を部分的に、少なくともその球状頭部１００だけは、偏向コイル１０４が巻かれている所望の区域中に挿入するようにプログラムされている。続いて、コイル１０４の巻線を完結するに必要な巻回が施されて完成する。型８０または空隙９０の巻線領域中に上記の様にピン９８を部分的に挿入することによって、このピン９８は、その巻回工程中に空隙９０の内側に型８０の受け面の変形が形成されたと等価な働きをする。代表的な用途では、大径の球状端部１００を持った、直径５．０乃至６．０ｍｍのピン９８を１本またはそれ以上使って、図８に示した様な菱形のくぼみすなわち凹部１０６が形成された。
　【００２３】
　球状の端部すなわち頭部１００を持ったこのピン９８と、それを空隙９０内にプログラムに従って部分的に挿入するというこの手法は、ピンの端部と、種々の位置でピン（１本または複数本）９８の上にまたはその周りに巻かれている導線との間のソフトコンタクトが得られるように、行われる。この様にして、偏向コイル巻線１０４の導線の巻回工程中に、この実施例で示されるように、１個または複数個のくぼみまたは凹部１０６をコイル巻線１０４中に形成することができる。しかし、もしピン９８を空隙９０内により深く突出させると、巻線にはくぼみや凹部の代わりに開口を形成することができる。
　【００２４】
　図示した実施例では、ピン９８は、その球状先端１００が、前述の如く、偏向コイルとして巻回されつつある導線とソフトコンタクトするように、突出させられる。空隙９０内へのピン９８の挿入の程度を制御して得られるこの様なソフトコンタクトと、ピン端部１００の球面形状とによって、偏向コイル巻線工程中における導線または導線のエナメルに対する損傷を実質的に排除することができる。この発明の上記した実施例は、特にサドル型コイルの巻線に応用することができる。
　【００２５】
　くぼみまたは凹部１０６がある部分では、偏向コイル巻線１０４の導線密度は他の部分の導線密度よりも小さく、それによって電流流通時の偏向コイル１０４が生成する電磁界の形状を制御することができる。前述した開口または空所は上記と同じ様な結果を得るために使用できる。しかし、既に上記した様に、より高精度の制御は、上記の開口を使用する方法よりも、くぼみまたは凹部１０６の使用による上記の様な根本的な磁界成形によって得られる。しかし、或種の用途では、この開口とくぼみまたは凹部の組合せを利用することが有利である。
　【００２６】
　また、偏向コイル１０４の巻線工程中に、ピン９８を後退位置からたとえば巻線経路内の固定位置へ挿入するのではなく、その巻線経路内で１本または複数本のピン９８の位置を可変的に変化させてそれらピン９８の周りで所望の導線分布を得るように、この装置をプログラムすることもできる。また、別の用途ではピン９８とピン９２の組合せを前述した様に使用して、製造工程中に偏向コイル巻線の側辺外側部の所定位置に、開口とくぼみの双方を形成することもできる。
　【００２７】
　図８には、拡がった側部１０８の所要位置にくぼみまたは凹部１０６が形成されたほぼ完成状態の偏向コイル巻線１０４と共に、雌型８０が示されている。この様にして、偏向コイル１０４全体を通じて、特にその側部中央の導線分布を制御することができる。
　【００２８】
　以上、この発明の種々の実施例を図示し説明したが、この発明がそれらのみに限定されることを意味するものではない。たとえば、雌型８０の受け面９６の開孔１０２を通して１本またはそれ以上のピン９８を選択的に挿入して、製造工程中に偏向コイルにくぼみや凹部を形成する代わりに、この受け面９６に固定的な変形部を設けて同様な結果を得ることもできる。たとえば、形の異なった偏向コイルを作ることができるように、相異なる変形パタンをもった変換可能な受け面９６を使用することもできる。コイル巻線の内側面にくぼみを作るように、雄型８２中にピンを導入することもできる。
【図面の簡単な説明】
　【図１】
　この発明を実施した水平コイルを含む
偏向コイル
　【図２】
　偏向コイ
ルの巻
成して製作した、この発明の偏向コイルの一実施例を
　【図３】
　この発明
による
ルの巻
された
部を示す、
に沿う断
　【図４】
　巻線工程中に偏向コイル巻線の表面
上の選
の偏向コイルを製作するために使用される装
　【図５】
　この発明
の偏向コイルを製作するために使用される装
　【図６】
　巻線の所定位置にくぼみまたは凹部を有す
るこの発明の偏向コイル
めに使用される装
　【図７】
　球状端部を有するピンまたはだぼ形ロッドを型上のコイル巻線部分中に突出させるための開孔を
含む、
の偏向コイルを製作するために使用される
型の一実施例の
　【図８】
　
図
る表面上の所定位置にくぼみまたは凹部が形成されたこの発明の偏
　【符号の説明】
　４８　偏向ヨークコイルの前端巻回部
　５０　偏向ヨークコイルの後端巻回部
　５２、５４　偏向ヨークコイルの側辺部
　７０　中間域
　７４　偏向ヨークコイル（水平偏向コイルとして使用できるサドル型コイル）
　７６、７８　くぼみまたは凹部